【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
各種部材が組み付けられるベース部材に、リールの可変表示を行う可変表示部を視認可能とする表示パネルと、該表示パネルの周縁部を保持する前面カバー部材と、該前面カバー部材の発光源となるランプを実装したランプ基板を有する装飾部材と、スピーカと、を備えて前面枠を構成し、該前面枠を本体枠の一側方に回動可能に軸支した遊技機において、
前記スピーカを前記ベース部材の上側両隅部に前方を臨む状態で配設し、
前記スピーカが前記前面カバー部材の背部に配設されるように当該前面カバー部材を前記ベース部材に取り付けることで、該ベース部材と前面カバー部材との間に前記装飾部材を収納する収納部を形成し、
前記収納部は、前記前面枠の側部に開口部を有し、
前記収納部の開口部から前記装飾部材を挿入し、前記ベース部材に設けた装飾部材止着部に前記前面枠の裏面側から止着部材を取り外し可能に止着して、前記装飾部材を前記ベース部材に取り付けるようにしたことを特徴とする遊技機。
【請求項２】
前記装飾部材は、
前記収納部の開口部を閉塞して前記前面枠の外壁面を構成する壁部と、
前記ランプ基板を取付可能な基板取付部と、
を備え、
前記基板取付部は、前記壁部と略垂直な板状の起立面を有し、
前記起立面の前面側には、前記ランプ基板を取り付けるための第１取付支柱を立設する一方、前記起立面の裏面側には、前記装飾部材を前記ベース部材に取り付けるための第２取付支柱を立設し、
前記装飾部材止着部は、
前後方向に貫通する貫通穴を有する止着片と、
前記止着片の周縁から前方に向けて突設され、前記基板取付部の第２取付支柱を位置決めする位置決め壁と、
を備え、
前記収納部の開口部周縁に形成した窪みに、前記装飾部材の壁部を嵌入させると共に、前記基板取付部の第２取付支柱を前記位置決め壁に嵌合させ、
前記止着片の貫通穴と前記第２取付支柱の止着穴に、前記止着部材を通すことにより前記装飾部材を前記ベース部材に止着するようにしたことを特徴とする請求項１に記載の遊技機。
【請求項３】
前記前面枠の裏面側には、
前記前面枠を前記本体枠の一側で回動自在に支持する蝶番装置を一方の側部に備え、他方の側部に、前記前面枠を閉止状態で維持可能な施錠装置を備えるようにし、
前記蝶番装置と前記施錠装置との各々は、前記前面枠への取付部となる取付板を有し、
前記取付板は、前記止着片の背部に配設され、
前記止着部材は、前記取付板に設けた止着部材挿通孔を介して、前記前面枠の裏面側から取り外し可能としたことを特徴とする請求項２記載の遊技機。
【手続補正２】
【補正対象書類名】明細書
【補正対象項目名】０００５
【補正方法】変更
【補正の内容】
【０００５】
【課題を解決するための手段】
上記課題を解決するため、
請求項１記載の発明は、各種部材が組み付けられるベース部材に、リールの可変表示を行う可変表示部を視認可能とする表示パネルと、該表示パネルの周縁部を保持する前面カバー部材と、該前面カバー部材の発光源となるランプを実装したランプ基板を有する装飾部材と、スピーカと、を備えて前面枠を構成し、該前面枠を本体枠の一側方に回動可能に軸支した遊技機において、
前記スピーカを前記ベース部材の上側両隅部に前方を臨む状態で配設し、
前記スピーカが前記前面カバー部材の背部に配設されるように当該前面カバー部材を前記ベース部材に取り付けることで、該ベース部材と前面カバー部材との間に前記装飾部材を収納する収納部を形成し、
前記収納部は、前記前面枠の側部に開口部を有し、
前記収納部の開口部から前記装飾部材を挿入し、前記ベース部材に設けた装飾部材止着部に前記前面枠の裏面側から止着部材を取り外し可能に止着して、前記装飾部材を前記ベース部材に取り付ける構成とした。


【手続補正３】
【補正対象書類名】明細書
【補正対象項目名】０００６
【補正方法】変更
【補正の内容】
【０００６】
この請求項１記載の発明によれば、ランプ基板を有する装飾部材を収納部の開口部から挿入し、ベース部材に設けた装飾部材止着部に前面枠の裏面側から止着部材を取り外し可能に止着して、装飾部材をベース部材に取り付けるようにしたので、前面枠の裏面側から止着部材を取り外すことによって、前面枠の側部から、収納部に収納されている装飾部材が有するランプ基板を取り出すことができる。
従って、ランプ基板の着脱が容易となる。よって、例えば、ランプ基板にランプ切れ等の故障が発生した場合には、ランプ基板の交換作業が容易となり、ランプ基板をリサイクルする場合には、ランプ基板の分離回収作業が容易となる。


【手続補正４】
【補正対象書類名】明細書
【補正対象項目名】０００８
【補正方法】変更
【補正の内容】
【０００８】
請求項２記載の発明は、請求項１記載の遊技機において、
前記装飾部材は、
前記収納部の開口部を閉塞して前記前面枠の外壁面を構成する壁部と、
前記ランプ基板を取付可能な基板取付部と、
を備え、
前記基板取付部は、前記壁部と略垂直な板状の起立面を有し、
前記起立面の前面側には、前記ランプ基板を取り付けるための第１取付支柱を立設する一方、前記起立面の裏面側には、前記装飾部材を前記ベース部材に取り付けるための第２取付支柱を立設し、
前記装飾部材止着部は、
前後方向に貫通する貫通穴を有する止着片と、
前記止着片の周縁から前方に向けて突設され、前記基板取付部の第２取付支柱を位置決めする位置決め壁と、
を備え、
前記収納部の開口部周縁に形成した窪みに、前記装飾部材の壁部を嵌入させると共に、前記基板取付部の第２取付支柱を前記位置決め壁に嵌合させ、
前記止着片の貫通穴と前記第２取付支柱の止着穴に、前記止着部材を通すことにより前記装飾部材を前記ベース部材に止着する構成とした。


【手続補正５】
【補正対象書類名】明細書
【補正対象項目名】０００９
【補正方法】変更
【補正の内容】
【０００９】
この請求項２記載の発明によれば、収納部の開口部周縁に形成した窪みに、装飾部材の壁部を嵌入させると共に、基板取付部の第２取付支柱を位置決め壁に嵌合させ、止着片の貫通穴と第２取付支柱の止着穴に、止着部材を通すことにより、装飾部材をベース部材に止着するようにしたので、装飾部材が有するランプ基板の着脱が容易となる。
【手続補正６】
【補正対象書類名】明細書
【補正対象項目名】００１０
【補正方法】変更
【補正の内容】
【００１０】
ここで、壁部は、透光性を有する壁部と、遮光性を有する壁部の何れとしても良い。例えば、透光性を有する壁部であれば、ランプ基板のランプにより壁部を発光させることが可能となり、一方、遮光性を有する壁部であれば、該壁部で収納部内を視認不能に遮蔽することが可能となる。
【手続補正７】
【補正対象書類名】明細書
【補正対象項目名】００１１
【補正方法】変更
【補正の内容】
【００１１】
請求項３記載の発明は、請求項２記載の遊技機において、
前記前面枠の裏面側には、
前記前面枠を前記本体枠の一側で回動自在に支持する蝶番装置を一方の側部に備え、他方の側部に、前記前面枠を閉止状態で維持可能な施錠装置を備えるようにし、
前記蝶番装置と前記施錠装置との各々は、前記前面枠への取付部となる取付板を有し、
前記取付板は、前記止着片の背部に配設され、
前記止着部材は、前記取付板に設けた止着部材挿通孔を介して、前記前面枠の裏面側から取り外し可能とした構成とした。


【手続補正８】
【補正対象書類名】明細書
【補正対象項目名】００１２
【補正方法】変更
【補正の内容】
【００１２】
この請求項３記載の発明によれば、取付板を止着片の背部に配設し、止着部材を取付板に設けた止着部材挿通孔を介して、前面枠の裏面側から取り外し可能としたので、装飾部材を取り外す際に、取付板を取り外す手間を省くことができる。即ち、前面枠の裏面側から止着部材を取り外すことによって、前面枠の側部から、収納部に収納されている装飾部材が有するランプ基板を取り出すことができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００５６
【補正方法】変更
【補正の内容】
【００５６】
【発明の効果】
請求項１記載の発明によれば、前面枠の裏面側から止着部材を取り外すことによって、前面枠の側部から、収納部に収納されている装飾部材が有するランプ基板を取り出すことができる。従って、ランプ基板の着脱が容易となる。よって、例えば、ランプ基板にランプ切れ等の故障が発生した場合には、ランプ基板の交換作業が容易となり、ランプ基板をリサイクルする場合には、ランプ基板の分離回収作業が容易となる。


【手続補正１９】
【補正対象書類名】明細書
【補正対象項目名】００５７
【補正方法】変更
【補正の内容】
【００５７】
請求項２記載の発明によれば、装飾部材が有するランプ基板の着脱が容易となる。
【手続補正２０】
【補正対象書類名】明細書
【補正対象項目名】００５８
【補正方法】変更
【補正の内容】
【００５８】
請求項３記載の発明によれば、装飾部材を取り外す際に、取付板を取り外す手間を省くことができる。即ち、前面枠の裏面側から止着部材を取り外すことによって、前面枠の側部から、収納部に収納されている装飾部材が有するランプ基板を取り出すことができる。
【手続補正２１】
【補正対象書類名】明細書
【補正対象項目名】００５９
【補正方法】削除
【補正の内容】
【手続補正２２】
【補正対象書類名】明細書
【補正対象項目名】符号の説明
【補正方法】変更
【補正の内容】
【符号の説明】
１    本体枠
２    前面枠
３      パネル
４Ａ    可変表示部
３０    蝶番装置
３１    取付板
３１ａ  開口部（止着部材挿通孔）
３４ａ 開口部（止着部材挿通孔）
４０ 施錠装置
４１    取付板
４１ａ 開口部（止着部材挿通孔）
５０    装飾部材
５１    ランプ基板
５１ａ    ランプ
５２    基板取付部
５３    壁部
５５    第１取付支柱
５６ 第２取付支柱
６０Ａ    上部ベース部材
６６    前面カバー部材
７７    スピーカ
８０    収納部
８０Ａ    開口部
８５    装飾部材止着部
８５Ａ  止着片
８５ｂ  位置決め壁
８８    止着部材
９０    識別情報
１００    パチスロ遊技機（遊技機）
１５１、１５２、１５３    ランプ基板
１５２ａ    貫通孔
１５３ａ    切欠部